(57)【要約】【課題】両端に係止突起を設け、切り込み等もほぼ全体に設けて所望の大きさに容易に形成出来、かつ多角形状の筒型に形成出来る紙箱収納用組立てスペーサーを提供する。【解決手段】帯状の本体を巻きまわして筒状に形成して紙箱内に入れた菓子と菓子との間隙に載置して紙箱内を安定したものにするスペーサーにおいて、横長の帯状の厚紙によって本体１を設け、本体１の長手方向の両端に横向き扇型の係止突起を設け、本体１の一端から他端にかけて上端縁から下端縁に至る切り込み破線を一定間隔で設け、各切り込み破線により本体１を切り離し自在とし、複数の切り込み破線のうち一部の切り込み破線上の中部を円形状の貫通孔４として設け、これらの各貫通孔４の両側の上下方向に一定長の切り込みを設け、本体１の一端から他端を巻きまわして一方の係止突起を他方の貫通孔４又は切り込みの何れかに差し入れて所望の大きさの筒型に形成する。【選択図】図１
0003120949.tif 000002
【実用新案登録請求の範囲】
【請求項１】
帯状の本体を巻きまわして筒状に形成して、紙箱内に入れた菓子と菓子との間隙、又は菓子と紙箱内側面との間隙に載置して当該紙箱内を安定したものにするスペーサーにおいて、
横長の帯状の厚紙によって本体を設け、当該本体の長手方向の両端に略横向き扇型の係止突起を夫々設け、当該本体の一端から他端にかけて上端縁から下端縁に至る切り込み破線を一定間隔で複数設け、当該各切り込み破線により本体を切り離し自在とし、当該複数の切り込み破線のうち一部の切り込み破線上の略中部を円形状の貫通孔として夫々設け、  さらに、これらの各貫通孔の両側の上下方向に一定長の切り込みを夫々設け、
当該本体の一端から他端を巻きまわして一方の係止突起を他方の貫通孔又は切り込みの何れかに差し入れて所望の大きさの筒型に形成することを特徴とする、紙箱収納用組立てスペーサー。
【請求項２】
上記貫通孔の両側の上下方向に一定長設けた切り込みを、当該貫通孔の周縁に略沿って弧状に夫々設けたことを特徴とする、上記請求項１に記載の紙箱収納用組立てスペーサー。
【請求項３】
上記貫通孔に沿って設けた弧状の切り込みのうち、隣接するもの同士の中部に水平な切り込みを入れて当該隣接する切り込み同士を相互に連結したことを特徴とする、上記請求項１又は２の何れかに記載の紙箱収納用組立てスペーサー。
【請求項４】
上記スペーサーを紙箱内の菓子と菓子の間隙、又は菓子と紙箱内側面との間隙に載置する際、当該スペーサーを切り込み破線により折り込んで多角形状の筒型に形成することを特徴とする、上記請求項１、２又は３の何れかに記載の紙箱収納用組立てスペーサー。
【考案の詳細な説明】
【技術分野】
【０００１】
この考案は、菓子店等において、菓子やその他の食品等を紙箱に入れて持ち運ぶ際に使用されるものであって、例えば、菓子と菓子との間隙、菓子と紙箱内側面との間隙、又は紙箱内のコーナー部などに置いて、菓子がこれらに接触して傷まないようにするための紙箱収納用組立てスペーサーに関するものである。
【背景技術】
【０００２】
従来、菓子店においては、様々な菓子を生産し販売しており、この様な菓子店では、菓子を販売する際、簡単に組立てられ、保存の際にも嵩張らない紙製の組立て紙箱を専ら使用している。そして、この様な紙箱でケーキ等を持ち運ぶ際、当該紙箱内にケーキ等を詰めた後、ケーキ等とケーキ等の間、ケーキ等と紙箱内側面との間、又は紙箱内のコーナー部などに不要な間隙が出来ることがある。
【０００３】
この様な場合、これらの間隙に何かものを詰めなければ、当該紙箱が動揺した際、ケーキ等とケーキ等が接触したり、ケーキ等と紙箱内側面とが接触してケーキ等を痛めることになるので、スペーサーを詰めている。この様なスペーサーとしては、帯状の厚紙の一端縁に係止突起を設け、この厚紙の他端側に一定間隔で係止切り込みを複数個設け、この厚紙を丸めて一端縁の係止突起を他端縁側の係止切り込みの何れかに差し入れて係止して使用するものがある。
【非特許文献１】「ケーキスペーサー１」株式会社パッケージ中澤ホームページより抜粋
【考案の開示】
【考案が解決しようとする課題】
【０００４】
しかしながら、この様なスペーサーでは、当該スペーサーを繋げた際、基本的に円筒形状を想定しており、菓子と菓子の間隙、特に、紙箱内のコーナー部に載置した場合、当該コーナー部での定着が悪く、安定しない。また、係止突起が一端縁にしか設けられておらず、この係止突起を係止する係止切り込みも他端の半分部分にしか設けられておらず、ケーキを入れる紙箱内の不要な間隙に詰める筒型に形成したスペーサーの大きさの調整が大雑把なものとなっている。この様な結果、紙箱内に入れられたケーキ同士、又はケーキと紙箱内側面とが接触して、当該ケーキを傷めることがある。
【０００５】
そこで、この考案は、両端に係止突起を設け、切り込み等もほぼ全体に設けて所望の大きさに容易に形成出来、かつ多角形状の筒型に形成出来る紙箱収納用組立てスペーサーを提供するものである。
【課題を解決するための手段】
【０００６】
請求項１の考案は、帯状の本体を巻きまわして筒状に形成して、紙箱内に入れた菓子と菓子との間隙、又は菓子と紙箱内側面との間隙に載置して当該紙箱内を安定したものにするスペーサーにおいて、横長の帯状の厚紙によって本体を設け、当該本体の長手方向の両端に略横向き扇型の係止突起を夫々設け、当該本体の一端から他端にかけて上端縁から下端縁に至る切り込み破線を一定間隔で複数設け、当該各切り込み破線により本体を切り離し自在とし、当該複数の切り込み破線のうち一部の切り込み破線上の略中部を円形状の貫通孔として夫々設け、さらに、これらの各貫通孔の両側の上下方向に一定長の切り込みを夫々設け、当該本体の一端から他端を巻きまわして一方の係止突起を他方の貫通孔又は切り込みの何れかに差し入れて所望の大きさの筒型に形成する紙箱収納用組立てスペーサーとした。
【０００７】
請求項２の考案は、上記貫通孔の両側の上下方向に一定長設けた切り込みを、当該貫通孔の周縁に略沿って弧状に夫々設けた上記請求項１に記載の紙箱収納用組立てスペーサーとした。また、請求項３の考案は、上記貫通孔に沿って設けた弧状の切り込みのうち、隣接するもの同士の中部を水平な切り込みを入れて当該隣接する切り込み同士を相互に連結した上記請求項１又は２の何れかに記載の紙箱収納用組立てスペーサーとした。
【０００８】
請求項４の考案は、上記スペーサーを紙箱内の菓子と菓子の間隙、又は菓子と紙箱内側面との間隙に載置する際、当該スペーサーを切り込み破線により折り込んで多角形状の筒型に形成する上記請求項１、２又は３の何れかに記載の紙箱収納用組立てスペーサーとした。
【考案の効果】
【０００９】
請求項１の考案によれば、帯状の本体の左右の両端縁に係止突起を夫々設け、どちらの係止突起の側から巻きまわしても他方の側の貫通孔や切込みの何れかに上記係止突起を差し入れて所望の大きさの筒状のスペーサーを容易に形成することが出来るので便利である。また、この時、係止突起を差し入れる貫通孔の位置が適切でなかった時は、当該貫通孔の両側に設けた切り込みに差し入れれば、最適な大きさの筒型を形成することが出来る。また、その際、スペーサー本体の不要な部分は、切り込み破線により随時切り離すことが出来るので、スペーサーを適切な大きさに形成し易いものである。
【００１０】
また、上記複数のうちの一部の切り込み破線上の中部を円形状の貫通孔として夫々形成したので、当該スペーサーの中に保冷剤等を入れた際、筒型に形成したスペーサーの上下が開口していることに加えて、貫通孔から何が入っているのか一目で分かる。さらに、保冷剤を入れた場合、当該貫通孔を通して冷気が流通し易く、紙箱内の温度上昇を的確に抑制することが出来る。この結果、スペーサーを適切な大きさに形成し易く、菓子店の店頭における様々な要望に答えられるものである。
【００１１】
請求項２の考案によれば、上記貫通孔の両側に設けた切り込みを、当該円形状の貫通孔の周縁に略沿って弧状に夫々設けたので、どちらか一方の係止突起を巻きまわせば、本体の他端側に、貫通孔の外、一定間隔で係止突起と同じ湾曲向きの切り込みが並び、当該係止突起を差し入れ易く、筒型を形成し易いものとなっている。
【００１２】
また、請求項３の考案によれば、上記貫通孔に沿って設けた弧状の切り込みのうち、隣接するもの同士の中部を水平な切り込みを入れて当該隣接する切り込み相互を連結したので、弧状の切り込みの湾曲向きが巻きまわした係止突起の湾曲向きと異なるものであっても、係止突起が当該水平な切り込みと突き合った際、当該水平な切り込みが開口し、これらの開口部がガイドとなって逆向きの切り込みであっても、係止突起を容易に差し入れることが出来る。
【００１３】
請求項４の考案によれば、上記スペーサーを紙箱内の菓子と菓子の間隙、又は菓子と箱内側面との間隙に載置する際、当該スペーサーを多数の切り込み破線により折り込んで上記間隙に見合った形状の多角形状の筒型に形成することが出来るので、菓子の外側面、又は紙箱内側面と安定して当接することが出来、紙箱内で菓子は元より、当該スペーサー自体も無闇に移動せず、より安心出来るものである。
【考案を実施するための最良の形態】
【００１４】
帯状の本体を巻きまわして筒状に形成して、紙箱内に入れた菓子と菓子との間隙、又は菓子と紙箱内側面との間隙に載置して当該紙箱内を安定したものにするスペーサーにおいて、横長の帯状の厚紙によって本体を設け、当該本体の長手方向の両端に略横向き扇型の係止突起を夫々設け、当該本体の一端から他端にかけて上端縁から下端縁に至る切り込み破線を一定間隔で複数設け、当該各切り込み破線により本体を切り離し自在とし、当該複数の切り込み破線のうち一部の切り込み破線上の略中部を円形状の貫通孔として夫々設け、さらに、これらの各貫通孔の両側の上下方向に一定長の切り込みを夫々設ける。
【００１５】
そして、当該本体の一端から他端を巻きまわして一方の係止突起を他方の貫通孔又は切り込みの何れかに差し入れて所望の大きさの筒型に形成する。
【００１６】
これらにより、スペーサーを一部が切り離し自在で、所望の大きさ及び形状の筒型に簡単に形成することが出来る。
【実施例１】
【００１７】
次に、この発明の実施例１を図に基づいて説明する。
図２は、この発明の実施例１のスペーサー（以下、「スペーサーＡ」と言う。）の展開図を示す。このスペーサーＡは、帯状の厚紙によって本体１を形成し、長手方向の左右の両端部に略横向きの扇型で首の部分が一段狭くなった係止突起２を夫々設けている。
【００１８】
また、当該本体１の左端縁から右端縁にかけて上端縁から下端縁に至る切り込み破線３を略一定の間隔で複数設け、当該各切り込み破線３により本体１を切り離し自在に設けている。これらの切り込み破線３のうち、左右両端部側の夫々２本の切り込み破線３の中部を通常の一定長の切り込み３ａとして設けている。なお、ここで切り込み破線３とは、切り込みを破線状に設けたものを言う。
【００１９】
これらの切り込み破線３を除いて、本体１の中央側に位置する複数の切り込み破線３の中部を円形状の貫通孔４として夫々設け、これらの各貫通孔４の左右の両側の上下方向に当該貫通孔４の周縁に沿って弧状の切り込み５、６を夫々設け、さらに、これらの各切り込み５、６のうち隣接するものは、その中部を短い水平な切り込み７を設けて切り込み５と６とを相互に連結している。
これらの切り込み３ａ、貫通孔４、切り込み５、６は、全て、各係止突起２を差し入れて係止し、筒型のスペーサーＡを形成するものである。
【００２０】
続いて、このスペーサーＡを形成する。
このスペーサーＡの本体を一方の係止突起２の側から巻きまわして、図３、図４又は図５に示すように、当該係止突起２を他方の側の切り込み３ａ、貫通孔４又は切り込み５、６の中の適切な位置のものに差し入れて、図１に示すように、平面六角形の角筒型に設ける。この時、スペーサーＡの本体１において、端縁部分が余った場合、最寄りの切り込み破線３によって本体１から切り離すことが出来る。
【００２１】
また、図４における円形状の貫通孔４の内径が係止突起２の上下方向の長さより小さく見えるが、当該貫通孔４は切り込み破線３上に設けられており、貫通孔４の両端縁における切り込み破線３が、丁度切り込み部となっているので、上記係止突起２を難無く当該貫通孔４内に挿入することが出来る。また、当該係止突起２の一段狭くなった首部分の長さを上記貫通孔４の内径と略同じ長さに設けており、一度挿入して係止された係止突起２は、貫通孔４の周縁部に当該係止突起２の拡張された両端が係止されて容易には抜け難くなっている。
【００２２】
さらに、上記弧状の切り込み５、６により、左右端縁のどちらの端縁の係止突起２から巻きまわしても、当該係止突起２と同じ湾曲向きの切り込み５（又は６）が一定間隔で本体１上を並んでいるので、係止突起２をこれらの切り込み５（又は６）内に容易に差し入れて筒型のスペーサーＡを形成することが出来る。
【００２３】
また、これらの各切り込み５、６のうち隣接するものは、その中部を短い水平な切り込み７を入れて相互に連結しており、これらの切り込み７により、巻きまわした一方の係止突起２と湾曲向きが異なる（逆の）切り込み５（又は６）であっても、当該係止突起２が当該切り込み７と突き合い、これにより、切り込み５（又は６）の直前の位置である、当該切り込み７が開口し、これらの開口部がガイドとなって逆向きの切り込み５（又は６）内に、当該係止突起２を差し入れ易くなっている。
【００２４】
次に、この様な、スペーサーＡを紙箱Ｂ内において使用する。
まず、図６に示すように、この本体１を一方の係止突起２の側から巻きまわして四角形の角筒型のスペーサーＡとして設け、図７及び図８に示すように、紙箱Ｂの一方の相対向する角部にこの四角形の角筒型のスペーサーＡを夫々収納、載置し、これらのスペーサーＡと横並びにショートケーキＣを複数個詰めた状態を示す。この場合、紙箱Ｂの内側面ｂ及びショートケーキＣの外側面ｃとスペーサーＡの外側面ａがぴったりと当接し、また、当該ショートケーキＣと隣接するショートケーキＣも互いに外側面がぴったりと当接して、当該紙箱Ｂ内で無闇に動くことがない。
【００２５】
さらに、図９に示すように、平面正方形状の紙箱Ｄにおいて、当該紙箱Ｄの底面の中央部を除いて周囲に平面略円形状の菓子、例えば、シュークリームＥを８個詰めた後、真ん中にこの四角形の角筒型のスペーサーＡを収納、載置した状態を示す。この場合、シュークリームＥの外側面の一部とスペーサーＡの外側の四面ａが当接し、当該シュークリームＥが当該紙箱Ｄ内で無闇に動くことがない。
【００２６】
さらに、図１０に示すように、平面長方形状の紙箱Ｂの四隅に平面略円形状の菓子、例えば、プラスティックのカップに入った洋菓子Ｆを夫々置き、それらの間に、平面長方形状の洋菓子Ｇなどを置き、それらの間隙に三角形の筒型に設けたスペーサーＡを収納、載置した状態を示す。この場合、洋菓子Ｆの外側面の一部ｆとスペーサーＡの外側面ａ、及び洋菓子Ｇの外側面の一部ｇとスペーサーＡの外側面ａとが当接し、当該洋菓子Ｆや洋菓子Ｇが当該紙箱Ｂ内で無闇に動くことがない。
【００２７】
また、これらのスペーサーＡの場合、平面の形状が四角形の角筒型や三角形の筒型に形成しているので、スペーサーＡ自体としても形態が安定しており、無闇に動くものではない。
【００２８】
さらに、これらのスペーサーＡの中が空間となっているので、これらの中に、保冷剤、ロウソク、ナフキンなどを入れることも出来、このスペーサーＡに設けた円形状の貫通孔４により、また、スペーサーＡの上下が開口しているので、当該スペーサーＡの中に何が入っているか一目で分かる。また、保冷剤を入れた際は、当該スペーサーＡの貫通孔４により、冷気が紙箱Ｂ、Ｄ内に円滑に流通する。さらに、これらのスペーサーＡを壊れやすいケーキ等の外側に巻きまわして他のものと接触し難くすることも出来る。
【００２９】
なお、上記実施例１において、スペーサーＡを六角形、四角形の角筒型、又は、三角形の筒型に設けているが、このスペーサーＡを筒型に設ける形状は、これらのものに限るものではなく、他の五角形等の多角形状でもよいし、円筒形状でももちろんよい。また、スペーサーＡの一部を切り離し可能にしているが、不要な部分は必ずしも切り離す必要はなく、また、スペーサーＡを長くしたものが必要な場合、このスペーサーＡを複数本用意し、これらのスペーサーＡの各係止突起２と切り込み５、６等によって夫々接続したものを使用することが出来る。
【００３０】
また、係止突起２を略横向き扇状で首の部分が一段狭くなった形状に設けているが、係止突起２の形状はこれに限るものではなく、貫通孔４又は切り込み５、６等に挿入係止出来るものならば何れの形状でもよい。また、スペーサーＡには切り込み３ａを夫々設けているが、これらの切り込み３ａは必ずしも必要と言うものではない。さらに、切り込み５、６を貫通孔４に沿って弧状に設けているが、切り込み５、６は必ずしも弧状に限るものではない。
【図面の簡単な説明】
【００３１】
【図１】この発明の実施例１の、六角形の角筒型に形成し、立設したスペーサーの平面図である。
【図２】この発明の実施例１のスペーサーの展開図である。
【図３】この発明の実施例１の本体の一方の側の係止突起を他方の側の切り込み破線の切り込み内に差し入れた状態の一部説明図である。
【図４】この発明の実施例１の本体の一方の側の係止突起を他方の側の円形状の貫通孔内に差し入れた状態の一部説明図である。
【図５】この発明の実施例１の本体の一方の側の係止突起を他方の側の湾曲向きが異なる切り込み内に差し入れた状態の一部説明図である。
【図６】この発明の実施例１の、四角形の角筒型に形成されたスペーサーの斜視図である。
【図７】この発明の実施例１のスペーサーを紙箱の角部に収納、載置し、ケーキを詰めた状態の斜視図である。
【図８】この発明の実施例１のスペーサーを紙箱の角部に収納、載置し、ケーキを詰めた状態のイメージ図である。
【図９】この発明の実施例１のスペーサーを、菓子を詰めた紙箱の中央に収納、載置した状態を示すイメージ図である。
【図１０】この発明の実施例１のスペーサーを、菓子を詰めた紙箱の左右の位置に収納、載置した状態を示すイメージ図である。
【符号の説明】
【００３２】
Ａ    スペーサー                        Ｂ    紙箱
Ｃ    ショートケーキ                    Ｄ    紙箱
Ｅ    シュークリーム                    Ｆ    洋菓子
Ｇ    洋菓子
１    本体                              ２    係止突起
３    切り込み破線                      ４    貫通孔
５    切り込み                          ６    切り込み
７    切り込み
【図１】
0003120949.tif 000003
【図２】
0003120949.tif 000004
【図３】
0003120949.tif 000005
【図４】
0003120949.tif 000006
【図５】
0003120949.tif 000007
【図６】
0003120949.tif 000008
【図７】
0003120949.tif 000009
【図８】
0003120949.tif 000010
【図９】
0003120949.tif 000011
【図１０】
0003120949.tif 000012